(57)【要約】  端末のユーザをローカルでプロファイル化する方法（１００）は、反復的に、−ユーザによって、ユーザのローカル・ユーザ・プロファイルへのアクセスを解除するステップ（１０５）；−この端末上でユーザによるイベント処理を検出するステップ（１１０）；及び−検出した各処理に応じてユーザ・プロファイルを編集するステップ（１１５）を含む。【選択図】図１
2020507172.tif 000002
【特許請求の範囲】
【請求項１】
端末のユーザをローカルでプロファイル化する方法（１００）であって、前記方法（１００）は、反復的に、
−ユーザによって、ユーザのローカル・ユーザ・プロファイルへのアクセスを解除するステップ（１０５）；
−前記端末上でユーザによるイベント処理を検出するステップ（１１０）；及び
−検出した各処理に応じてユーザ・プロファイルを編集するステップ（１１５）
を含むことを特徴とする、方法（１００）。
【請求項２】
個人情報を検索する方法（２００）であって、前記方法（２００）は、
−請求項１に記載のプロファイル化する方法（１００）；
−ユーザによって、端末上に検索キーワードを入力するステップ（２０５）；
−入力したキーワードに応じて個人情報を検索するステップ（２１０）；
−ローカル・ユーザ・プロファイルに応じて前記個人情報をランク付けするステップ（２１５）；及び
−前記ランク付けした個人情報を表示するステップ（２２０）
を含み、前記編集するステップ（１１５）は、表示した個人情報の少なくとも１つの項目に対して実施した処理に応じてユーザ・プロファイルを編集することを特徴とする、方法（２００）。
【請求項３】
個人情報のインデックスを作成するステップ（２２５）、検索ステップのため、インデックスへのアクセスを解除する解除ステップ（１０５）を含む、請求項２に記載の方法（２００）。
【請求項４】
前記インデックスは、遠隔メモリ・リソースに保存し、前記解除ステップ（１０５）は、前記リソースへのアクセスを解除する、請求項３に記載の方法（２００）。
【請求項５】
前記インデックスは、前記インデックスへのアクセスを解除した際に可搬端末上で同期する、請求項４に記載の方法（２００）。
【請求項６】
−遠隔サーバに、公開情報に対する検索結果の要求を送信するステップ（２３０）；及び
−公開情報を受信するステップ（２３５）
を含み、前記表示するステップ（２２０）は、個人情報及び公開情報を表示し、前記個人情報及び公開情報自体を識別する、請求項３から５のいずれか一項に記載の方法（２００）。
【請求項７】
遠隔個人情報を保存サービスに関連付けるステップ（２４０）を含み、情報をそれぞれのサービスに関連付けることは、イベント処理を検出する前記ステップの間に実施する、請求項２から６のいずれか一項に記載の方法（２００）。
【請求項８】
前記解除するステップ（１０５）は、端末から遠隔操作で実施し、前記解除するステップ（１０５）は、携帯電話ネットワーク上で可搬端末を認証するステップ（２４５）を含む、請求項１から７のいずれか一項に記載の方法（２００）。
【請求項９】
前記解除するステップ（１０５）は、仮想ＳＩＭカードを実施する、請求項８に記載の方法（２００）。
【請求項１０】
−入力したキーワードに基づき、遠隔サーバに、公開検索結果の要求を送信するステップ（５１０）；
−ユーザによって、個人情報へのアクセスを解除するステップ（５１５）；
−入力したキーワードに基づき、アクセスを解除した個人情報を検索し、個人検索結果を提供するステップ（５２０）；
−前記遠隔サーバから公開検索結果を受信するステップ（５２５）；及び
−単一インターフェース上に、受信した公開検索結果、及び個人検索結果を表示し、前記個人検索結果及び前記公開検索結果自体を前記単一インターフェース上で識別するステップ（５３０）
を含む、請求項１から９のいずれか一項に記載の方法（５００）。
【請求項１１】
遠隔個人情報を保存サービスに関連付けるステップ（５３５）を含み、情報をそれぞれのサービスに関連付けることは、個人情報を検索する前記ステップ（５２０）の間に実施する、請求項１０に記載の方法（５００）。
【請求項１２】
個人情報のインデックスを作成するステップ（５４０）、検索ステップのため、インデックスへのアクセスを解除する解除ステップ（５２０）を含む、請求項１０又は１１に記載の方法（５００）。
【請求項１３】
前記インデックスは、遠隔メモリ・リソース内に保存し、前記遠隔メモリ・リソースへのアクセスは、前記解除ステップ（５１５）の間、解除する、請求項１２に記載の方法（５００）。
【請求項１４】
前記インデックスは、前記遠隔メモリへのアクセスを解除（５１５）した際に可搬端末上で同期する、請求項１３に記載の方法（５００）。
【請求項１５】
前記解除するステップ（５１５）は、可搬端末から遠隔操作で実施し、前記解除するステップ（５１５）は、携帯電話ネットワーク上で前記可搬端末を認証するステップ（５４５）を含む、請求項１０から１４のいずれか一項に記載の方法（５００）。
【請求項１６】
前記解除ステップ（５１５）は、仮想ＳＩＭカードを実施する、請求項１５に記載の方法（５００）。
【発明の詳細な説明】
【技術分野】
【０００１】
本発明は、端末のユーザをローカルでプロファイル化する方法に関する。本発明は、特に、インターネット型ネットワーク上で、ユーザの個人リソースの検索と組み合わせてリソースを検索することに適用される。
【背景技術】
【０００２】
インターネット上でコンピュータ・リソースを検索する分野において、現在、インターネット・ブラウザを介してアクセス可能なオンライン検索エンジンが実施されている。
【０００３】
これらの検索エンジンは、要求に応じて、コンテンツのインデックス付け及びユーザのプロファイル化に基づき結果をもたらす。
【０００４】
現在の検索エンジンの欠点は、特にプロファイル化動作を通じて、ユーザの私生活を侵害することであり、これにより、ユーザの活動、及び行動の関連を監視するか、又は関連する関心を検出することになる。
【０００５】
このため、これらの検索エンジンは、インターネット上でのコンピュータ・リソースの検索に限定される。
【０００６】
オペレーティング・システムに組み込んだ他の内部個人検索モジュールは、オペレーティング・システムに関連付けた端末のコンピュータ・コンテンツにアクセスすることを可能にする。
【０００７】
したがって、現在、結果の関連性を決定するために、ユーザの私生活に立ち入らずにインターネット公開検索結果及び個人検索結果の集合を可能にする検索システムはない。
【発明の概要】
【発明が解決しようとする課題】
【０００８】
本発明は、これらの欠点の全て又は一部を改善することを目的とする。
【課題を解決するための手段】
【０００９】
この目的で、第１の態様によれば、本発明は、端末のユーザをローカルでプロファイル化する方法を想定し、方法は、反復的に、
−ユーザによって、ユーザのローカル・ユーザ・プロファイルへのアクセスを解除するステップ；
−上記端末上でユーザによるイベント処理を検出するステップ；及び
−検出した各処理に応じてユーザ・プロファイルを編集するステップ
を含む。
【００１０】
これらの規定のために、ユーザは、解除又は非解除に応じて、ユーザの活動のプロファイル化を実施するかどうかを選択する。このプロファイルは、特に個人情報の検索方法を豊かにすることを可能にする。
【００１１】
第２の態様によれば、本発明は、個人情報を検索する方法を想定し、方法は、
−本発明の主題であるプロファイル化方法；
−ユーザによって、端末上に検索キーワードを入力するステップ；
−入力したキーワードに応じて個人情報を検索するステップ；
−ローカル・ユーザ・プロファイルに応じて上記個人情報をランク付けするステップ；及び
−ランク付けした個人情報を表示するステップ、
を含み、編集ステップは、表示した個人情報の少なくとも１つの項目に対して実施した処理に応じてユーザ・プロファイルを編集する。
【００１２】
これらの規定のため、表示される個人情報の関連性は、ユーザのプロファイル化によって高められる。
【００１３】
いくつかの実施形態では、本発明の主題である方法は、個人情報のインデックスを作成するステップ、検索ステップのため、インデックスへのアクセスを解除する解除ステップを含む。
【００１４】
これらの実施形態は、個人情報に対する検索速度を最適化することを可能にする。
【００１５】
いくつかの実施形態では、インデックスは、遠隔メモリ・リソース内に保存し、解除ステップは、遠隔メモリ・リソースへのアクセスを解除する。
【００１６】
これらの実施形態は、インデックスへのアクセスをユーザに制限することを可能にする。
【００１７】
いくつかの実施形態では、このインデックスは、インデックスへのアクセスを解除した際に可搬端末上で同期される。
【００１８】
これらの実施形態は、ユーザに関連付けたあらゆる端末が、端末間で同期、共有される共有インデックスにアクセスを有することを可能にする。
【００１９】
いくつかの実施形態では、本発明の主題である方法は、
−遠隔サーバに、公開情報に対する検索結果の要求を送信するステップ；及び
−公開情報を受信するステップ、
を含み、表示ステップは、個人情報及び公開情報を表示し、これらの情報自体を識別する。
【００２０】
これらの実施形態は、単一のインターフェース上で公開情報及び個人情報をユーザに提示することを可能にし、各種類の情報は、個別の検索手順によって取得されており、ユーザのプライバシの保護を可能にする。
【００２１】
いくつかの実施形態では、本発明の主題である方法は、遠隔個人情報を保存サービスに関連付けるステップを含み、情報をそれぞれのサービスに関連付けることは、イベント処理を検出するステップの間に実施される。
【００２２】
これらの実施形態は、個人のクラウド内での個人情報の検索を可能にする。
【００２３】
いくつかの実施形態では、解除ステップは、端末から遠隔操作で実施される。
【００２４】
これらの実施形態は、解除ステップを安全にし、このステップをユーザに関連付けた各端末で共有することを可能にする。
【００２５】
いくつかの実施形態では、解除ステップは、携帯電話ネットワーク上で可搬端末を認証するステップを含む。
【００２６】
これらの実施形態は、インターネット・ネットワークに対する周知のネットワーク及びサードパーティ解除手順を利用する。
【００２７】
いくつかの実施形態では、解除ステップは、仮想ＳＩＭカードを利用する。
【００２８】
本発明は、情報を提供する方法も想定し、方法は、マンマシン・インタフェースを介してユーザがキーワードをインターネット・ブラウザに入力するステップを含み、
−入力したキーワードに基づき、遠隔サーバに、公開検索結果の要求を送信するステップ；
−ユーザによって、個人情報へのアクセスを解除するステップ；
−入力したキーワードに基づき、アクセスを解除した個人情報を検索し、個人検索結果を提供するステップ；
−遠隔サーバから公開検索結果を受信するステップ；及び
−単一インターフェース上に、受信した公開検索結果及び個人検索結果を表示し、個人結果及び公開結果自体をこのインターフェース上で識別するステップ
を含む。
【００２９】
これらの規定のために、ユーザは、解除又は非解除に応じて、検索モジュールに、個人リソースへのアクセスを与えるかどうかを選択する。個人データへのアクセスも、検索モジュールも、遠隔データ・ネットワーク上での通信の作動を必要としない。更に、公開データの検索及び個人データの検索は、同じ検索エンジンを利用せず、公開データ検索エンジンは、個人データ検索コンテンツへのアクセスを有さない。最後に、個人データに基づくユーザのプロファイル化は、公開データ検索の支援のために実施されない。
【００３０】
いくつかの実施形態では、本発明の主題である方法は、遠隔個人情報を保存サービスに関連付けるステップを含み、情報をそれぞれのサービスに関連付けることは、個人情報を検索するステップの間に実施される。
【００３１】
これらの実施形態は、個人のクラウド内での個人情報の検索を可能にする。
【００３２】
いくつかの実施形態では、本発明の主題である方法は、個人情報のインデックスを作成するステップ、検索ステップのため、インデックスへのアクセスを解除する解除ステップを含む。
【００３３】
これらの実施形態は、個人情報の検索速度を最適化することを可能にする。
【００３４】
いくつかの実施形態では、インデックスは、遠隔メモリ・リソース内に保存され、遠隔メモリ・リソースへのアクセスは、解除ステップの間、解除される。
【００３５】
これらの実施形態は、インデックスへのアクセスをユーザに制限することを可能にする。
【００３６】
いくつかの実施形態では、このインデックスは、遠隔メモリへのアクセスを解除した際に可搬端末上で同期される。
【００３７】
これらの実施形態は、ユーザに関連付けたあらゆる端末が、端末間で同期、共有される共有インデックスにアクセスを有することを可能にする。
【００３８】
いくつかの実施形態では、個人結果及び公開結果はそれぞれ、単一ページ内の欄に表示される。
【００３９】
これらの実施形態は、結果の種類による、検索結果の明確な識別及び円滑な読み取りをもたらす。
【００４０】
いくつかの実施形態では、解除ステップは、端末から遠隔操作で実施する。
【００４１】
これらの実施形態は、解除ステップを安全にし、このステップをユーザに関連付けた各端末で共有することを可能にする。
【００４２】
いくつかの実施形態では、解除ステップは、携帯電話ネットワーク上で可搬端末を認証するステップを含む。
【００４３】
これらの実施形態は、インターネット・ネットワークに対する周知のネットワーク及びサードパーティ解除手順を実施する。
【００４４】
いくつかの実施形態では、解除ステップは、仮想ＳＩＭカードを実施する。
【００４５】
本発明の他の利点、目的及び特定の特徴は、添付に含まれる図面を参照して、本発明の主題であるデバイス及び方法の少なくとも１つの特定の実施形態の以下の非限定的な説明から明らかになるであろう。
【図面の簡単な説明】
【００４６】
【図１】本発明の主題である方法の第１の実施形態の特定の連続ステップの概略論理図である。
【図２】本発明の主題である方法の第２の実施形態の特定の連続ステップの概略論理図である。
【図３】本発明の主題である方法の検索結果を提示するインターフェースの特定の実施形態の概略図である。
【図４】本発明の主題である方法を利用するデバイスの特定の実施形態の概略図である。
【図５】本発明の主題である方法の特定の連続ステップの概略論理図である。
【図６】本発明の主題である方法の検索結果を提示するインターフェースの特定の実施形態の概略図である。
【図７】本発明の主題である方法を利用するデバイスの特定の実施形態の概略図である。
【発明を実施するための形態】
【００４７】
本明細書は、非限定的に与えられ、一実施形態の各特性は、あらゆる他の実施形態のあらゆる他の特性と有利に組み合わせることができる。
【００４８】
ここで、図面は一定の縮尺でないことに留意されたい。
【００４９】
用語「情報」は、テキスト、画像、音声、映像又は実行可能ファイル又はインターネット・ページの形態を取り得るデジタル・データを指す。この用語は、「コンピュータ・リソース」と同義である。この用語は、上述したデータ等のデジタル・データのあらゆるアドレスも指す。
【００５０】
用語「インターネット」は、ワールド・ワイド・ウェブ・インターネット・ネットワークを指す。
【００５１】
用語「インターネット・ブラウザ」は、ワールド・ワイド・ウェブを閲覧、表示するように設計したソフトウェアを指し、ワールド・ワイド・ウェブは、検索キーワードを入力する少なくとも１つの領域、及び検索結果を表示するインターフェースを有する。
【００５２】
用語「端末」は、電子デバイスを指し、電子デバイスは、マンマシン・インタフェース、インターネット・ネットワークとの通信手段、及び表示画面を含み、この端末は、インターネット・ブラウザを動作させるように構成される。一例示として、端末は、
−スマートフォン；
−デジタル・タブレット；又は
−パーソナル・コンピュータ
とすることができる。
【００５３】
用語「イベント」は、ヒューマン・インターフェースを介した、端末のソフトウェア・システムの少なくとも１つの実行パラメータに対し影響を有するユーザと端末とのあらゆる相互作用を指す。そのような相互作用は、
−例えば、インターネット・ブラウザにおける検索キーワードの入力；
−ファイルの閲覧；
−ファイルの実行
とすることができる。
【００５４】
図１は、本発明の主題である方法１００を実現する特定のステップの論理図の概略図を示す。端末のユーザをローカルでプロファイル化するこの方法１００は、反復的に、
−ユーザによって、ユーザのローカル・ユーザ・プロファイルへのアクセスを解除するステップ１０５；
−この端末上でユーザによるイベント処理を検出するステップ１１０；及び
−検出した各処理に応じてユーザ・プロファイルを編集するステップ１１５
を含む。
【００５５】
この解除ステップ１０５は、既知のコンピュータ・コンテンツへのアクセスを解除するあらゆる種類の手順を実施する。そのような手順は、例えば、端末のマンマシン・インタフェースを介してユーザが入力したコードと、端末上に既に保存してあるか又はこの端末から遠隔操作して保存したコードとの比較である。他の変形形態では、この手順は、指紋又は目の認識を使用する生体認証手順である。
【００５６】
特に、この解除ステップ１０５は、ブラウザ上にユーザがインストールするか又は事前インストールしたブラウザのプラグイン・モジュールによって、実施することができる。このプラグイン・モジュールは、検索ステップ２１０を実施することも可能にする。
【００５７】
いくつかの変形形態では、解除ステップ１０５は、端末から遠隔操作で実施する。
【００５８】
図１に示すもの等のいくつかの特定の実施形態では、解除ステップ１０５は、携帯電話ネットワーク上で可搬端末を認証するステップ２４５を含む。
【００５９】
この認証ステップ２４５は、例えば、携帯電話ネットワーク上で、端末に関連付けたＳＩＭカードを認証することによって実施される。
【００６０】
いくつかの変形形態では、解除ステップ１０５は、仮想ＳＩＭカードを実施する。
【００６１】
仮想ＳＩＭカードは、コンテンツが無線チャンネルによって送信される端末内の書き換え可能専用メモリ空間であり、このコンテンツは、携帯電話ネットワーク上の端末の識別データを含む。
【００６２】
イベント処理を検出するステップ１１０は、例えば、ソフトウェア・システムに関連付けた電子制御回路を利用することによって実施し、ソフトウェア・システムは、端末上でユーザが実施した動作を検出するように構成する。イベントに関連付けたこれらの動作は、日付を付けることができる。
【００６３】
編集ステップ１１５は、例えば、ソフトウェア・システムに関連付けた電子計算回路によって実施し、このソフトウェア・システムは、イベントに対し実施した処理に応じてユーザ・プロファイルを決定するように構成される。このプロファイルは、例えば、連続検索等の一連のイベントの間の相関関係、又は特定したイベントの発生頻度に対する静的又は経時的なユーザの好みに関連する。
【００６４】
図２は、本発明の主題である方法２００の特定のステップの論理図を概略的に示す。個人情報を検索するこの方法２００は、
−図１に関して説明したプロファイル化方法１００；
−ユーザによって、端末上に検索キーワードを入力するステップ２０５；
−入力したキーワードに応じて個人情報を検索するステップ２１０；
−ローカル・ユーザ・プロファイルに応じて個人情報をランク付けするステップ２１５；及び
−ランク付けした個人情報を表示するステップ２２０
を含み、編集ステップ１１５は、表示した個人情報の少なくとも１つの項目に対し実施した処理に応じてユーザ・プロファイルを編集する。
【００６５】
入力ステップ２０５は、当業者に公知のあらゆる種類のマンマシン・インタフェースによって実施される。そのようなインターフェースは、例えば、機械式キーボード、仮想キーボード、タッチ・キーボード、マウス又は音声コマンド・インターフェースである。
【００６６】
採用するマンマシン・インタフェースは、インターネット・ブラウザを実行する端末に依存する。
【００６７】
このマンマシン・インタフェースにより、ユーザは、インターネット・ブラウザの検索領域に入力キーワードを記入する。これらのキーワードは、ユーザが所望する検索対象に対応する。
【００６８】
個人情報を検索するステップ２１０は、個人コンピュータ・リソースを検索するソフトウェアに関連付けた電子計算回路を実施する。用語「個人コンピュータ・リソース」、「個人リソース」又は「個人データ」は、
−端末のメモリ内に存在するコンピュータ・データ；及び
−個人コンピュータ・リソースにアクセスするために一形態の識別を必要とするクラウド・コンピューティング型のあらゆるコンピュータ・サービスのコンピュータ・データ
を指す。
【００６９】
この個人情報は、例えば、電子メール、テキスト、画像又は映像ファイル、インターネット・ページ又はアプリケーション・ランチャ実行ファイルを含む。
【００７０】
この検索ステップ２１０の間、ソフトウェアは、この情報内のデータ又はメタデータに基づくキーワードに対応する個人情報を識別し、これらの結果をフィルタ処理し、残っている結果を順番にする。
【００７１】
好ましくは、検索ステップ２１０は、ブラウザにインストールしたプラグイン・モジュールによって端末においてローカルで実施される。このようにして、個人情報の取り扱いは、端末から遠隔操作されず、ユーザのプライバシを損なう可能性が低い。
【００７２】
ランク付けステップ２１５は、例えば、ソフトウェア・システムに関連付けた電子計算回路によって実施され、ソフトウェア・システムは、検索ステップ２１０の間に識別した情報の各項目を、プロファイルに応じてランク付けするように構成される。
【００７３】
このランク付けは、情報の各項目のコンテンツ、又は関連付けたメタデータ、及びユーザ・プロファイルのパラメータ値に応じて実施する。例えば、いくつかの機会で、語「イタリア」を検索し、次に、「写真」を検索したユーザは、まず、メモリ内の値「イタリア」に関連付けた全ての個人の写真を見ることになる。
【００７４】
いくつかの好ましい実施形態では、図１に示すように、方法２００は、個人情報のインデックスを作成するステップ２２５、検索ステップのため、インデックスへのアクセスを解除する解除ステップ１１５を含む。
【００７５】
この作成ステップ２２５は、端末の電子計算回路によって、又は端末に関連付けた遠隔サーバによって実施される。この作成ステップ２２５の間、利用可能な個人情報の全てを識別し、次に、コンテンツ内のデータ又はこのコンテンツのメタデータに基づき、情報の各項目をカテゴリ化し、次に、カテゴリの類似度に基づき、この情報を一緒にグループ化する。
【００７６】
いくつかの変形形態では、遠隔メモリ・リソースにインデックスを保存し、遠隔メモリ・リソースへのアクセスは、解除ステップ１０５の間、解除される。
【００７７】
いくつかの変形形態では、このインデックスは、遠隔メモリへのアクセスを解除１０５した際に、可搬端末上で同期される。
【００７８】
実施される同期は、当業者に周知の、これらのファイルのためのいくつかの受信端末の間でのコンピュータ・ファイルの同期に対応する。
【００７９】
表示ステップ２２０は、例えば、端末画面の電子制御回路を利用することによって実施され、ブラウザ内に、個人情報及び公開情報又はこれらの情報へのリンクを画面上に表示するようにする。
【００８０】
情報の仕様は、ブラウザ・インターフェース上で情報を２つの欄、即ち、公開情報の第１の欄及び個人情報の第２の欄に分離することによって達成される。
【００８１】
そのようなインターフェースの一例を図３で見ることができる。このインターフェース１００は、
−検索キーワードを入力する入力領域３１０；
−検索ステップ２１０から到来する個人情報の欄３１５；及び
−受信ステップ２３５から到来する公開情報の欄３２０
を備える。
【００８２】
図１に示すもの等のいくつかの特定の実施形態では、方法２００は、
−遠隔サーバに、公開情報に対する検索結果の要求を送信するステップ２３０；及び
−公開情報を受信するステップ２３５
を含み、表示ステップ２２０は、個人情報及び公開情報を表示し、これらの情報自体を識別する。
【００８３】
送信ステップ２３０は、端末の通信手段の電子制御回路を実施する。この通信手段は、例えば、ワイヤレス通信信号を発し、受信するように構成したアンテナ、又は端末をインターネット・ネットワークに接続するケーブルを受けるように構成した物理的ネットワーク・ポートである。
【００８４】
この送信ステップ２３０の間、キーワードを含む要求は、遠隔サーバに送信される。
【００８５】
遠隔サーバは、インターネット上で公開コンピュータ・リソースを検索する検索エンジンである。好ましくは、この検索エンジンは、端末に関連付けたユーザ・プロファイルを含まない。
【００８６】
公開結果を受信するステップ１２５は、例えば、端末の通信手段によって実施される。
【００８７】
いくつかの特定の実施形態では、方法２００は、遠隔個人情報を保存サービスに関連付けるステップ２４０を含み、情報をそれぞれのサービスに関連付けることは、イベント処理を検出するステップの間に実施される。
【００８８】
この関連付けステップ２４０は、例えば、ユーザが端末上に、
−関連付けたサービスの識別情報；及び
−ユーザに代わってこのサービスへの接続を可能にする識別子
を入力することによって実施される。
【００８９】
この関連付けステップ２４０は、端末と、入力、記録した識別子によりこのように関連付けた各サービスとの間のコンピュータ通信の確立を実施する。
【００９０】
この関連付けが生成されると、関連付けたサービスのデータは、検索ステップ２１０の間に考慮されるデータの一部を形成する。
【００９１】
そのような関連付けは、ユーザが外すことができる。
【００９２】
図４は、本発明の主題である方法１００又は２００を実施することができるシステム４００を概略的に示す。
【００９３】
このシステム４００は、
−端末４０５；
−端末から遠隔操作する検索エンジン４２０、及びこの検索エンジンに関連付けたデータベース４２５；
−個人情報を検索するソフトウェア・システム４１０、及びこのソフトウェア・システムに関連付けたデータベース４１５
を備える。
【００９４】
図５は、本発明の主題である方法５００を実現する特定のステップの概略論理図を示す。この情報提供方法５００は、マンマシン・インタフェースを介して、ユーザがキーワードをインターネット・ブラウザに入力するステップ５０５を含み、
−入力したキーワードに基づき、遠隔サーバに、公開検索結果の要求を送信するステップ５１０；
−ユーザによって、個人情報へのアクセスを解除するステップ５１５；
−入力したキーワードに基づき、アクセスを解除した個人情報を検索し、個人検索結果を提供するステップ５２０；
−遠隔サーバから公開検索結果を受信するステップ５２５；及び
−単一インターフェース上に、受信した公開検索結果及び個人検索結果を表示し、個人結果及び公開結果自体をこのインターフェース上で識別するステップ５３０
を含む。
【００９５】
入力ステップ５０５は、当業者に公知のあらゆる種類のマンマシン・インタフェースによって実施される。そのようなインターフェースは、例えば、機械式キーボード、仮想キーボード、タッチ・キーボード、マウス又は音声コマンド・インターフェースである。
【００９６】
採用するマンマシン・インタフェースは、インターネット・ブラウザを実行する端末に依存する。
【００９７】
このマンマシン・インタフェースにより、ユーザは、インターネット・ブラウザの検索領域に入力キーワードを記入する。これらのキーワードは、ユーザが所望する検索対象に対応する。
【００９８】
送信ステップ５１０は、端末の通信手段の電子制御回路を実施する。この通信手段は、例えば、ワイヤレス通信信号を発し、受信するように構成したアンテナ、又は端末をインターネット・ネットワークに接続するケーブルを受けるように構成した物理的ネットワーク・ポートである。
【００９９】
この送信ステップ５１０の間、キーワードを含む要求は、遠隔サーバに送信される。
【０１００】
遠隔サーバは、インターネット上で公開コンピュータ・リソースを検索する検索エンジンである。好ましくは、この検索エンジンは、端末に関連付けたユーザ・プロファイルを含まない。
【０１０１】
この送信ステップ５１０と並行又は連続して、方法５００は、解除ステップ５１５を実施する。この解除ステップ５１５は、既知のコンピュータ・コンテンツへのアクセスを解除するあらゆる種類の手順を実施する。そのような手順は、例えば、端末のマンマシン・インタフェースを介してユーザが入力したコードと、端末上に既に保存してあるか又はこの端末から遠隔操作して保存したコードとの比較である。他の変形形態では、この手順は、指紋又は目の認識を使用する生体認証手順である。
【０１０２】
特に、この解除ステップ５１５は、ブラウザ上にユーザがインストールするか又は事前インストールしたブラウザのプラグイン・モジュールによって、実施することができる。このプラグイン・モジュールは、検索ステップ５２０を実施することも可能にする。
【０１０３】
いくつかの変形形態では、解除ステップ５１５は、端末から遠隔操作で実施する。
【０１０４】
図５に示すもの等のいくつかの特定の実施形態では、解除ステップ５１５は、携帯電話ネットワーク上で可搬端末を認証するステップ５４５を含む。
【０１０５】
この認証ステップ５４５は、例えば、携帯電話ネットワーク上で、端末に関連付けたＳＩＭカードを認証することによって実施される。
【０１０６】
いくつかの変形形態では、解除ステップ５１５は、仮想ＳＩＭカードを実施する。
【０１０７】
仮想ＳＩＭカードは、コンテンツが無線チャンネルによって送信される端末内の書き換え可能な専用メモリ空間であり、このコンテンツは、携帯電話ネットワーク上の端末の識別データを含む。
【０１０８】
図５に示すもの等のいくつかの好ましい実施形態では、方法５００は、遠隔個人情報を保存サービスに関連付けるステップ５３５を含み、情報をそれぞれのサービスに関連付けることは、個人情報を検索するステップ５２０の間に実施される。
【０１０９】
この関連付けステップ５３５は、例えば、ユーザが端末上に、
−関連付けるサービスの識別情報；及び
−ユーザに代わってこのサービスへの接続を可能にする識別子
を入力することによって実施される。
【０１１０】
この関連付けステップ５３５は、端末と、入力、記録した識別子によって関連付けた各サービスとの間のコンピュータ通信の確立を実施する。
【０１１１】
この関連付けが生成されると、関連付けサービスのデータは、検索ステップ５２０の間に考慮されるデータの一部を形成する。
【０１１２】
そのような関連付けは、ユーザが外すことができる。
【０１１３】
個人情報を検索するステップ５２０は、個人のコンピュータ・リソースを検索するソフトウェアに関連付けた電子計算回路を実施する。
【０１１４】
この検索ステップ５２０の間、ソフトウェアは、この情報内のデータ又はメタデータに基づくキーワードに対応する個人情報を識別し、これらの結果をフィルタ処理し、残っている結果を順番にする。
【０１１５】
好ましくは、検索ステップ５２０は、ブラウザにインストールしたプラグイン・モジュールによって、端末においてローカルで実施される。このようにして、個人情報の取り扱いは、端末から遠隔操作されず、ユーザのプライバシを損なう可能性が低い。
【０１１６】
いくつかの好ましい実施形態では、図５に示すように、方法５００は、個人情報のインデックスを作成するステップ５４０、検索ステップのため、インデックスへのアクセスを解除する解除ステップ５１５を含む。
【０１１７】
この作成ステップ５４０は、端末の電子計算回路によって、又は端末に関連付けた遠隔サーバによって実施される。この作成ステップ５４０の間、利用可能な個人情報の全てを識別し、次に、コンテンツ内のデータ又はこのコンテンツのメタデータに基づき、情報の各項目をカテゴリ化し、次に、カテゴリの類似度に基づき、この情報を一緒にグループ化する。
【０１１８】
いくつかの変形形態では、遠隔メモリ・リソースにインデックスを保存し、遠隔メモリ・リソースへのアクセスは、解除ステップ５１５の間、解除される。
【０１１９】
いくつかの変形形態では、このインデックスは、遠隔メモリへのアクセスを解除５１５した際に、可搬端末上で同期される。
【０１２０】
実施される同期は、当業者に周知の、これらのファイルのためのいくつかの受信端末の間でのコンピュータ・ファイルの同期に対応する。
【０１２１】
公開結果を受信するステップ５２５は、例えば、端末の通信手段によって実施される。
【０１２２】
表示ステップ５３０は、例えば、端末画面の電子制御回路を利用することによって実施され、ブラウザ内に、個人情報及び公開情報又はこれらの情報へのリンクを画面上に表示するようにする。
【０１２３】
情報の仕様は、ブラウザ・インターフェース上で情報を２つの欄、即ち、公開情報の第１の欄及び個人情報の第２の欄に分離することによって達成される。
【０１２４】
そのようなインターフェースの一例を図６で見ることができる。このインターフェース６００は、
−検索キーワードを入力する入力領域６１０；
−検索ステップ６２０から到来する個人情報の欄６１５；及び
−受信ステップ６２５から到来する公開情報の欄６２０
を備える。
【０１２５】
図７は、本発明の主題である方法５００を実施することができるシステム７００を概略的に示す。
【０１２６】
このシステム７００は、
−端末７０５；
−端末から遠隔操作する検索エンジン７２０、及びこの検索エンジンに関連付けたデータベース７２５；
−個人情報を検索するソフトウェア・システム７１０、及びこのソフトウェア・システムに関連付けたデータベース７１５
を備える。
【０１２７】
このようにして、理解されるように、本発明の主題である方法１００は、２つの独立した検索手順を実施する。第１に、公開情報の検索は、このユーザのプロファイル化を実施しない限り、ユーザのプライバシを保護するための特定の予防策を必要としない。第２に、個人データの取り扱いは、この個人データの検索を実施すべきときにのみユーザによって意図的に解除される。
【図１】
2020507172.tif 000003
【図２】
2020507172.tif 000004
【図３】
2020507172.tif 000005
【図４】
2020507172.tif 000006
【図５】
2020507172.tif 000007
【図６】
2020507172.tif 000008
【図７】
2020507172.tif 000009
【国際調査報告】
2020507172.tif 000010
2020507172.tif 000011
2020507172.tif 000012
2020507172.tif 000013